(57)【特許請求の範囲】
【請求項１】
画像信号を入力する入力手段と、入力した画像信号を記憶する画像記憶手段と、記憶した画像記憶手段から画像信号を再生出力する出力手段とを有し、再生出力された画像信号によってフィルム上に画像を記録する画像記録装置であって、
フィルムにプリントされるＸ、Ｙ方向のコマ数を設定するコマ数設定手段と、
前記Ｘ、又はＹ方向のうち少なくとも１方向で、各コマ間の距離を操作者により入力された距離に設定するコマ間隔設定手段と、
前記コマ数設定手段により設定されたコマ数、及び
前記コマ間隔設定手段に基づいて、出力画像のフォーマットを作成するフォーマット作成手段と、
を有し、
前記フォーマットで配置された画像を再生出力する
ことを特徴とする画像記録装置。
【請求項２】
画像信号を入力する入力手段と、入力した画像信号を記憶する画像記憶手段と、記憶した画像記憶手段から画像信号を再生出力する出力手段とを有し、再生出力された画像信号によってフィルム上に画像を記録する画像記録装置であって、
フィルムにプリントされるＸ、Ｙ方向のコマ数を、当該フィルムの複数の領域毎に設定するコマ数設定手段と、
前記複数の領域毎に、前記Ｘ、又はＹ方向のうち少なくとも１方向で、各コマ間の距離を操作者により入力された距離に設定するコマ間隔設定手段と、
前記複数の領域の少なくとも１つの領域における拡大率を設定する拡大率設定手段と、
前記コマ数設定手段、前記コマ間隔設定手段、及び、拡大率設定手段による設定に基づいて、出力画像のフォーマットを作成するフォーマット作成手段と、
を有し、
前記フォーマットで配置された画像を再生出力する
ことを特徴とする画像記録装置。
【発明の詳細な説明】
【０００１】
【発明の属する技術分野】
本発明は、医用診断装置からの診断画像データを入力し、１枚の画像記録シートに単数又は複数の画像を記録する画像記録装置に関する。
【０００２】
【従来の技術】
レーザーイメージャは、ＣＴ、ＭＲＩ等の医療用診断装置（モダリティ）から転送された画像をレーザーを用いてフィルムに書き込む装置である。
【０００３】
通常、医療用診断装置（モダリティ）の操作者はレーザーイメージャで画像出力するにあたって、複数の画像を１枚のフィルムにプリントするためのレイアウトの仕方を決定するためのフォーマット情報の設定、ＬＵＴの設定、画像のストア、プリントの起動等をレーザーイメージャに接続された操作盤上のキーパッドにて行う。
【０００４】
レーザーイメージャでは、サプライマガジンから供給されるフィルムが露光部からのレーザービームにより、設定フォーマット通りに記録されその後、直結された自動現像機で現像される。
【０００５】
このとき、レーザーイメージャでは、感光フィルム上に記録するフォーマット情報（記録画像数，画像回転処理の有無，拡大率の混在処理の有無）を操作者がキーパッドに表示されている中から、医療用診断装置（モダリティ）の機種、フィルムサイズ、撮影目的等により選択し、ストア作業を行う。
【０００６】
表示されているフォーマットは、１，２，４，６，９，１２，１５，１６，２０画像等がそれぞれ一枚のフィルム上に記録される各通常フォーマットと、それらを９０゜回転したもの、更に、拡大率の異なるコマの混在のフォーマットが標準的である。操作者はこれらの表示されているフォーマットから最適な物を選択できるようにしてある。しかし、これ以外のフォーマットは決して採用できない状態であった。
【０００７】
レーザーイメージャは、選択されたフォーマットとフィルムサイズ、医療用診断装置（モダリティ）からのストア画像のサイズ（モダリティ毎に画像サイズは異なる）等により拡大率を演算して決定し、フィルム上にレイアウトして焼き付ける。
【０００８】
上記普通の標準フォーマット以外の９０°回転やミックスを伴う標準フォーマットの選択は次のような場合がある。
【０００９】
（１）  シャウカステンの縦方向が１４インチの場合やフィルムを横にした方が一コマの大きさが大きい場合は、フィルムを９０度回転して横位置にして焼き込む画像回転のフォーマットを選択する場合
（２）  通常はフィルム内の全コマの大きさが同じになるフォーマットを選択するが、患部の一部を拡大してみたい場合一部のコマを他のコマより拡大率を大きくしたミックスフォーマットを選択する場合
（３）  画像を臨床用ではなく、研究用や参考資料用に使用する場合は、スライド用の出力に合わせるスライドフォーマットを選択する場合
（４）  フィルムに多数コマをレイアウトした場合にシャウカステンの関係でコマ間の距離を調整したい場合。
【００１０】
【発明が解決しようとする課題】
上述の従来例では、レーザーイメージャのメーカーで予め標準的な画像サイズや使用されやすい画像のレイアウトの種類やコマの間隔を考慮して幾つかの標準フォーマットとして設定している。しかし、そのような標準フォーマットの種類はそれほど多くはないので、実用上ユーザは物足りなく失望する場合がしばしばあった。その場合、標準フォーマットの数を増やせばよさそうだが、各ユーザの多様な要望をすべて満たすと種類が多くなりすぎ、選択がしにくく、かえって操作性が悪くなる。
【００１１】
上記のような状況下において、例えば通常一般のフォーマット以外にユーザ側の要望として具備させたい機能としては下記のようなものが挙げられる。
【００１２】
イ．画像サイズの縦横比が通常は横長のものが多いが、それ以外の画像サイズの場合は標準的なフォーマット以外にした方がプリントサイズが大きくできる場合があるのでそれに対応した機能を備える
ロ．通常はプリントコマ間はある程度あるが、ＲＩ画像等で例えば骨の画像を撮影した場合、１コマ内に全体が入りきらない場合、プリントコマ間の間隔をなくして複数のコマをつなげて１画像にしたい場合があるのでそれに対応した機能を備える
ハ．ミックスフォーマットの拡大率やコマ数を含めたレイアウトを操作者の目的によって変更したい場合があるのでそれに対応した機能を備える。
【００１３】
このような要望があっても、メーカー側でソフトやハード変更して対応するしかなかったのは大変不便で扱いにくかった。
【００１４】
本発明は、上述の欠点を解消し、標準フォーマット以外に操作者の希望するプリントフォーマットを操作者が任意に設定入力して画像記録できる画像記録装置を提供することを課題目的にする。
【００１５】
【課題を解決するための手段】
この目的は、次の技術手段（１）〜（２）項の何れか１項によって達成される。
【００１６】
（１）  画像信号を入力する入力手段と、入力した画像信号を記憶する画像記憶手段と、記憶した画像記憶手段から画像信号を再生出力する出力手段とを有し、再生出力された画像信号によってフィルム上に画像を記録する画像記録装置であって、
フィルムにプリントされるＸ、Ｙ方向のコマ数を設定するコマ数設定手段と、
前記Ｘ、又はＹ方向のうち少なくとも１方向で、各コマ間の距離を操作者により入力された距離に設定するコマ間隔設定手段と、
前記コマ数設定手段により設定されたコマ数、及び
前記コマ間隔設定手段に基づいて、出力画像のフォーマットを作成するフォーマット作成手段と、
を有し、
前記フォーマットで配置された画像を再生出力する
ことを特徴とする画像記録装置。
【００１７】
（２）  画像信号を入力する入力手段と、入力した画像信号を記憶する画像記憶手段と、記憶した画像記憶手段から画像信号を再生出力する出力手段とを有し、再生出力された画像信号によってフィルム上に画像を記録する画像記録装置であって、
フィルムにプリントされるＸ、Ｙ方向のコマ数を、当該フィルムの複数の領域毎に設定するコマ数設定手段と、
前記複数の領域毎に、前記Ｘ、又はＹ方向のうち少なくとも１方向で、各コマ間の距離を操作者により入力された距離に設定するコマ間隔設定手段と、
前記複数の領域の少なくとも１つの領域における拡大率を設定する拡大率設定手段と、
前記コマ数設定手段、前記コマ間隔設定手段、及び、拡大率設定手段による設定に基づいて、出力画像のフォーマットを作成するフォーマット作成手段と、
を有し、
前記フォーマットで配置された画像を再生出力する
ことを特徴とする画像記録装置。
【００１９】
【発明の実施の形態】
本発明の画像記録装置の実施の形態の概略システムを図１の概略構成図を用いて説明する。
【００２０】
レーザーイメージャ１００はＣＴ、ＭＲＩ等患者の患部の断層写真等を撮影する医療用診断装置２００Ａ，２００Ｂからの撮影画像情報を画像データ入力手段１４２にそのインターフェースを介して取り入れ、その情報を記憶手段１４３に記憶させると共に制御手段１４１からの指令によりその情報を再生手段１４４を介して画像形成部１３０に送る。
【００２１】
一方、操作盤としてのキーパッド２０１Ａ，２０１Ｂ上にはフォーマット切替手段２１０Ａ，２１０Ｂ及びフォーマット作成手段２２０Ａ，２２０Ｂが設けられ、その設定信号はレーザーイメージャ１００の制御手段１４１に取り入れられる。この設定信号により前記医療用診断装置２００Ａ，２００Ｂからの撮影画像情報をその入力手段１４２への取り込み指令や記憶手段１４３への記憶指令が行われると共に再生手段１４４を介して画像形成部１３０に書き込み指令の信号が送られる。
【００２２】
前記制御手段１４１、入力手段１４２、記憶手段１４３及び再生手段１４４が前記レーザーイメージャ１００の制御装置１４０を構成している。
【００２３】
前記書き込み信号の指令を受けてサプライマガジン１３７からフィルムが１枚取り出され、該フィルムは搬送路１３８Ａを進み、レーザー露光部１３１でレーザ光線からの変調された画像信号をポリゴンミラーを介して搬送路１３８Ｂ上にある前記フィルム上に焼き付け、所定の断層数の画像をフィルム上に走査して焼き付け終わると、該フィルムは搬送路１３８Ｂ上を逆送して分岐搬送路１３８Ｃに入り現像処理部５０に送り込まれる。該フィルムは現像槽、定着槽、水洗槽及び乾燥部を経て仕分け用のビンをもつソータ５０Ａに仕分けられて、例えば図２、図３、図４、図５、図６又は図７に示すようなレイアウトのプリント画像となって回収される。
【００２４】
図１には操作盤の役割をするキーパッド２０１Ａ，２０１Ｂが配置されているが、該キーパッドは医療用診断装置２００Ａ，２００Ｂの傍らに備えてあるが、該キーパッドの中のフォーマット作成手段２２０Ａ，２２０Ｂは、レーザーイメージャ１００の上部に取り付けられていても良い。
【００２５】
また、このレーザーイメージャ１００には医療用診断装置を複数台接続することができるが本実施の形態では符号にＡ又はＢを付して表した２台を接続した状態を例示した。
【００２６】
本発明の実施の形態の実施例１として、まず、ＭＲＩ画像にて２×３のフォーマットにより全身の骨のフィルムを撮影する場合に適用した例を示す。
【００２７】
本発明におけるキーパッドでＸ方向のコマ数を２、Ｙ方向のコマ数を３（以後これを２×３で表す）のフォーマットを選択しストア操作を行いプリントアウトする。標準フォーマットを選択し、撮影した場合は図２の様になる。しかし、この様な画像の場合は、図３に示すように縦方向をつなぎ合わせた方が全身が一体となって見える事とコマ間の隙間も画像として扱える為，プリントサイズをその分大きくできることになり大変望ましい。
【００２８】
この場合，前記キーパッド２０１Ａ又は２０１Ｂ上のフォーマット作成手段２２０Ａ又は２２０Ｂのコマ数設定手段２２１Ａ又は２２１Ｂ及びコマ間隔設定手段２２２Ａ又は２２２Ｂに下記のようにパラメータのデータを入れて設定する。
【００２９】
尚、本発明の実施の形態の説明では、フィルムや画像の縦横の長さの単位を画素にて表し、１画素は０．０８ｍｍとする。
【００３０】
Ｘ方向のコマ数    ２
Ｙ方向のコマ数    ３
Ｘ方向のコマ間隔  ２５画素（２ｍｍ）
Ｙ方向のコマ間隔    ０画素（０ｍｍ）
このようにキーパッド上での設定作業が終わると、図８のフローチャートに示すようにキーパッドのストアキーが押され、レーザーイメージャ１００の内部では画像信号が取り込まれ設定したコマ数分繰り返される。その後、プリントキーが押されるとレーザーイメージャ１００はその制御装置１４０で、該当ページのフィルムサイズやフォーマットのコマ数や枠仕様等のページ情報を解析し、プリントフォーマットのレイアウトを決定する。
【００３１】
次にストアされた最初のコマのＬＵＴ指定情報や拡大するための補間手法等のコマ情報を解析し決定されたプリントフォーマットに従ってコマの拡大率等をもとに拡大し、コマ情報に従って指定された場所にレイアウトする。
【００３２】
この処理をストアされたコマ数分繰り返し、終了すると実際にフィルムにプリント露光処理がなされる。
【００３３】
上記ページ情報の解析は次のように行われる。
【００３４】
フィルムサイズ    半切（最大プリント域：４０９６×５１２０画素）
元画素サイズ      ５４０×５１２
Ｘ方向のコマ数    ２
Ｙ方向のコマ数    ３
Ｘ方向のコマ間隔  ２５画素（２ｍｍ）
Ｙ方向のコマ間隔    ０画素（０ｍｍ）
のページ情報に基づき、
0003702553.tif 000002
【００３５】
0003702553.tif 000003
【００３６】
Ｘ１＝（４０９６−（５４０×拡大率×Ｘ方向のコマ数＋２５））／２
Ｙ１＝０
Ｘ２＝Ｘ１
Ｙ２＝５１２×拡大率
このようにして、既成でなく新しい所要のフォーマットがレーザーイメージャ１００に入力され、画像記録されて回収される。
【００３７】
また、このフォーマットがユーザによって常時必要になるならば以後は前記フォーマット切替手段２１０Ａ又は２１０Ｂに登録して組み込み、再度このフォーマットを使用するときは、フォーマット切替手段２１０Ａ又は２１０Ｂからこのフォーマットを切り替え選択してレーザーイメージャ１００の制御装置１４０の制御手段１４１に入力が可能になる。勿論、フォーマット作成手段２２０Ａ又は２２０Ｂに前述のパラメータを再度設定入力して行うことも可能である。
【００３８】
フィルムサイズが半切（プリント画像サイズ４０９６×５１２０画素）、ＭＲＩの画像サイズが５４０×５１２画素の場合は図２の例で標準フォーマットのＸ，Ｙ方向のコマ間隔が各２ｍｍ（２５画素）では、プリント有効サイズが４０７１×５０７０画素となり拡大率は３．３０倍となるが、図３の例ではＸ方向のコマ間隔は２５画素、Ｙ方向のコマ間隔は０でプリント有効サイズが４０７１×５１２０画素となり拡大率は３．３３倍となる。フィルム面がより有効利用できると共に、より広い範囲の画像を分断しない状態で観察診断できると言う大きな利点が生まれる。
【００３９】
上記実施例１はＸ方向及びＹ方向のコマ数は標準フォーマットのものでＹ方向のコマ間隔のみを標準と違えたフォーマットにしたもので、請求項１の実施の形態の１例に相当するものである。従って、この場合のフォーマット作成手段２２０Ａ又は２２０Ｂはコマ数設定手段２２１Ａ又は２２１Ｂ及びコマ間隔設定手段２２２Ａ又は２２２Ｂのみで構成されていても良い。
【００４０】
これに対して、Ｘ方向及びＹ方向のコマ数を，例えば上記の２×３の標準のフォーマットのものではなく、標準にない図４に示すように画像サイズが１０８０×５１２画素の横長の原画像をコマ数が１×３のフォーマットのものにしたい場合がある。この場合、フォーマット作成手段２２０Ａ又は２２０Ｂの中のコマ数設定手段２２１Ａ又は２２１Ｂに１×３及びサイズのパラメータを設定することにより目的を達する。この場合のフォーマット作成手段２２０Ａ又は２２０Ｂはコマ数設定手段２２１Ａ又は２２１Ｂのみで構成されていても良い。これが請求項１の実施の形態の１例としての実施例２である。
【００４１】
また、実施例３は図５に示すようにＸ方向及びＹ方向のコマ数が例えば標準にない横長の原画像を１×３のフォーマットにしたものであり、且つ、Ｙ方向のコマ間隔をゼロにして標準と違えたフォーマットにしたものであり、これは実施例１と同様に請求項２の実施の形態の１例である。
【００４２】
次に、請求項２の実施の形態について説明する。
【００４３】
例えば、血管造影に用いるＤＳＡの画像では、しばしば読映に重要なコマを目だたせる為に、多数コマのうちの一部を別の領域に区画して他の領域のものより大きくプリントしたい場合がある。これも、レーザーイメージャでは標準的なフォーマットとして図６に示すように２つの領域のコマ数が３×３／２×１（１つの領域では３×３のコマ数でもう１つの領域では２×１のコマ数になっていることを示す）のミックスフォーマット等をサポートしている。しかし、これだけでは充分ではなく仮に４×３／２×２のミックスフォーマットをユーザとして行いたい場合は、下記のように設定を行う。
【００４４】
この場合，前記キーパッド２０１Ａ又は２０１Ｂ上のフォーマット作成手段２２０Ａ又は２２０Ｂのコマ数設定手段２２１Ａ又は２２１Ｂと、コマ間隔設定手段２２２Ａ又は２２２Ｂと、各領域毎の拡大率設定手段２２３Ａ，２２３Ｂとに下記のようにパラメータのデータを入れて設定する。
【００４５】
この場合、図７のようなフォーマットがサポートされるようになる。
【００４６】
0003702553.tif 000004
以上のように、標準フォーマット以外に操作者の条件に合わせたパラメータを設定することにより、新規なフォーマット作成、組み合わせの違うミックスフォーマットの作成、拡大率の変更、コマ間隔の変更等が自由にでき、メーカーの助けに頼ってソフトやハードを変更しなくてもすむようになる。
【００４７】
【発明の効果】
本発明の画像記録装置により、標準フォーマット以外に操作者の条件に合わせた、新規なフォーマットの作成、組み合わせの違うミックスフォーマットの作成、拡大率の変更、コマ間隔の変更等が、ユーザ側で自由に簡単にできるようになり、従来のように、標準以外のフォーマットの必要が起こるとその都度メーカー側でソフトやハードを変更して対応するような時間や費用の無駄がなくてすむようになった。
【００４８】
そして、画像記録装置は搭載する標準フォーマットの種類を必要最小限のものにして置けば良いので、画像記録装置の製作コストも低減され、装置の操作性も向上した。
【図面の簡単な説明】
【図１】レーザーイメージャシステムを接続した画像記録装置の概略構成図。
【図２】標準フォーマット２×３のレイアウト図。
【図３】カスタムフォーマット２×３のレイアウト図。
【図４】カスタムフォーマット１×３のレイアウト図。
【図５】カスタムフォーマット１×３のレイアウト図。
【図６】標準ミックスフォーマット３×３／２×１のレイアウト図。
【図７】カスタムミックスフォーマット４×３／２×２のレイアウト図。
【図８】フォーマット作成手段からのフォーマット入力後のレーザーイメージャ内部の作動を示すフローチャート。
【符号の説明】
５０  現像処理部
１００  レーザーイメージャ
１３０  画像形成部
１３１  レーザー露光部
１３７  サプライマガジン
１３８Ａ，１３８Ｂ  搬送路
１４１  制御手段
１４２  入力手段
１４３  記憶手段
１４４  再生手段
２００Ａ  医療用診断装置（ＣＴ用）
２００Ｂ  医療用診断装置（ＭＲＩ用）
２０１Ａ，２０１Ｂ  キーパッド
２１０Ａ，２１０Ｂ  フォーマット切替手段
２２０Ａ，２２０Ｂ  フォーマット作成手段
２２１Ａ，２２１Ｂ  コマ数設定手段
２２２Ａ，２２２Ｂ  コマ間隔設定手段
２２３Ａ，２２３Ｂ  拡大率設定手段
【図１】
0003702553.tif 000005
【図２】
0003702553.tif 000006
【図３】
0003702553.tif 000007
【図４】
0003702553.tif 000008
【図５】
0003702553.tif 000009
【図６】
0003702553.tif 000010
【図７】
0003702553.tif 000011
【図８】
0003702553.tif 000012